【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
ビデオデータを処理するための方法であって、
前記ビデオデータを受信することと、ここにおいて、前記ビデオデータは、少なくとも第１のビデオ信号および第２のビデオ信号を含み、
前記第１のビデオ信号のための１つまたは複数のディスプレイパラメータを示す第１のセットのカラーボリューム変換パラメータおよび前記第２のビデオ信号のための１つまたは複数のディスプレイパラメータを示す第２のセットのカラーボリューム変換パラメータを前記ビデオデータから取得することと、
前記第１のビデオ信号のための第１のディスプレイ領域および前記第２のビデオ信号のための第２のディスプレイ領域を決定することと、ここにおいて、ディスプレイ領域は、ビデオ信号がディスプレイされることになるビデオフレームの一部分を決定する、
前記第１のセットのカラーボリューム変換パラメータのための第１のメタデータブロックを生成することと、
前記第２のセットのカラーボリューム変換パラメータのための第２のメタデータブロックを生成することと、
ブロックレベル値を第３のメタデータブロックおよび第４のメタデータブロックに割り当てることであって、前記第３のメタデータブロックは前記ビデオフレームのうちのアクティブな前記第１のディスプレイ領域を定義し、前記第４のメタデータブロックは前記ビデオフレームのうちのアクティブな前記第２のディスプレイ領域を定義するものである、割り当てることと、
前記ビデオデータについて符号化されたビットストリームを生成することと、ここにおいて、前記符号化されたビットストリームは、前記第１、第２、第３および第４のメタデータブロックを含む、ここにおいて、前記第３のメタデータブロックは前記第１のメタデータブロックに続いて前記ブロックレベル値を割り当てられた次のメタデータブロックとして符号化され、前記第４のメタデータブロックは前記第２のメタデータブロックに続いて前記ブロックレベル値を割り当てられた次のメタデータブロックとして符号化される、
を備える、方法。
【請求項２】
ビデオデータを処理する方法であって、
符号化されたビットストリームを受信することと、ここにおいて、前記符号化されたビットストリームは、少なくとも第１の符号化されたビデオ信号、第２の符号化されたビデオ信号、および複数のメタデータブロックを含む、
前記複数のメタデータブロックから、第１のセットのカラーボリューム変換パラメータを含む第１のメタデータブロックと第２のセットのカラーボリューム変換パラメータを含む前記複数のメタデータブロックのうちの第２のメタデータブロックとを決定することと、
前記複数のメタデータブロックのうちの第３のメタデータブロックおよび第４のメタデータブロックに割り当てられたブロックレベル値を決定することであって、前記第３のメタデータブロックはビデオフレームのうちのアクティブな第１のディスプレイ領域を定義し、前記第４のメタデータブロックは前記ビデオフレームのうちのアクティブな第２のディスプレイ領域を定義するものである、決定することと、
前記第３のメタデータブロックが前記符号化されたビットストリームにおいて前記第１のメタデータブロックに続いて前記ブロックレベル値を割り当てられた次のメタデータブロックであると決定することと、
前記第３のメタデータブロックが前記符号化されたビットストリームにおいて前記第１のメタデータブロックに続いて前記ブロックレベル値を割り当てられた前記次のメタデータブロックであると決定することに応じて、前記第１のメタデータブロックに含まれる前記第１のセットのカラーボリューム変換パラメータが前記第３のメタデータブロックによって定義されたアクティブな前記第１のディスプレイ領域に適用可能であると決定することであって、前記第１のセットのカラーボリューム変換パラメータは、アクティブな前記第１のディスプレイ領域に表示されることになる前記第１の符号化されたビデオ信号のための１つまたは複数のディスプレイパラメータを示すものである、決定することと、
前記第４のメタデータブロックが前記符号化されたビットストリームにおいて前記第２のメタデータブロックに続いて前記ブロックレベル値を割り当てられた次のメタデータブロックであると決定することと、
前記第４のメタデータブロックが前記符号化されたビットストリームにおいて前記第２のメタデータブロックに続いて前記ブロックレベル値を割り当てられた前記次のメタデータブロックであると決定することに応じて、前記第２のメタデータブロックに含まれる前記第２のセットのカラーボリューム変換パラメータが前記第４のメタデータブロックによって定義されたアクティブな前記第２のディスプレイ領域に適用可能であると決定することであって、前記第２のセットのカラーボリューム変換パラメータは、アクティブな前記第２のディスプレイ領域に表示されることになる前記第２の符号化されたビデオ信号のための１つまたは複数のディスプレイパラメータを示すものである、決定することと、
前記第１のセットのカラーボリューム変換パラメータを使用して、前記第１の符号化されたビデオ信号、および前記第２のセットのカラーボリューム変換パラメータを使用して、前記第２の符号化されたビデオ信号を復号することと
を備える、方法。
【請求項３】
前記少なくとも２つの符号化されたビデオ信号のうちの第１のビデオ信号のための第１のディスプレイ領域は、前記少なくとも２つの符号化されたビデオ信号のうちの第２のビデオ信号のための第２のディスプレイ領域と重なり、前記重なっている領域において使用すべき前記１つまたは複数のセットのカラーボリューム変換パラメータのうちの２つのセットのカラーボリューム変換パラメータは、前記第１のディスプレイ領域と前記第２のディスプレイ領域との間の優先度によって決定される、請求項１または２に記載の方法。
【請求項４】
前記優先度は、前記第１のディスプレイ領域および前記第２のディスプレイ領域がビデオフレームにおいてディスプレイされる順序に基づく、請求項３に記載の方法。
【請求項５】
前記優先度は、前記ビデオデータによって提供される値に基づく、請求項３に記載の方法。
【請求項６】
前記１つまたは複数のメタデータブロックは、１つまたは複数の補足強化情報（ＳＥＩ）ネットワーク抽象化レイヤ（ＮＡＬ）ユニットにおいて符号化される、請求項３に記載の方法。
【請求項７】
命令を記憶した非一時的なコンピュータ可読媒体であって、前記命令は、１つまたは複数のプロセッサによって実行されると、前記１つまたは複数のプロセッサに、請求項１乃至６のいずれかに従う方法を行わせる、非一時的なコンピュータ可読媒体。
【請求項８】
ビデオデータを処理するための装置であって、
前記ビデオデータを受信するための手段と、ここにおいて、前記ビデオデータは、少なくとも第１のビデオ信号および第２のビデオ信号を含み、
前記第１のビデオ信号のための１つまたは複数のディスプレイパラメータを示す第１のセットのカラーボリューム変換パラメータおよび前記第２のビデオ信号のための１つまたは複数のディスプレイパラメータを示す第２のセットのカラーボリューム変換パラメータを前記ビデオデータから取得するための手段と、
前記第１のビデオ信号のための第１のディスプレイ領域および前記第２のビデオ信号のための第２のディスプレイ領域を決定するための手段と、ここにおいて、ディスプレイ領域は、ビデオ信号がディスプレイされることになるビデオフレームの複数の部分を決定する、
前記第１のセットのカラーボリューム変換パラメータのための第１のメタデータブロックを生成するための手段と、
前記第２のセットのカラーボリューム変換パラメータのための第２のメタデータブロックを生成するための手段と、
ブロックレベル値を第３のメタデータブロックおよび第４のメタデータブロックに割り当てるための手段であって、前記第３のメタデータブロックは前記ビデオフレームのうちのアクティブな前記第１のディスプレイ領域を定義し、前記第４のメタデータブロックは前記ビデオフレームのうちのアクティブな前記第２のディスプレイ領域を定義するものである、割り当てるための手段と、
前記ビデオデータについて符号化されたビットストリームを生成するための手段と、ここにおいて、前記符号化されたビットストリームは、前記第１、第２、第３および第４のメタデータブロックを含む、ここにおいて、前記第３のメタデータブロックは前記第１のメタデータブロックに続いて前記ブロックレベル値を割り当てられた次のメタデータブロックとして符号化され、前記第４のメタデータブロックは前記第２のメタデータブロックに続いて前記ブロックレベル値を割り当てられた次のメタデータブロックとして符号化される、
を備える、装置。
【請求項９】
ビデオデータを処理するための装置であって、
符号化されたビットストリームを受信するための手段と、ここにおいて、前記符号化されたビットストリームは、第１の符号化されたビデオ信号、第２の符号化されたビデオ信号、および複数のメタデータブロックを含む、
前記複数のメタデータブロックから、第１のセットのカラーボリューム変換パラメータを含む第１のメタデータブロックと第２のセットのカラーボリューム変換パラメータを含む前記複数のメタデータブロックのうちの第２のメタデータブロックとを決定するための手段と、
前記複数のメタデータブロックのうちの第３のメタデータブロックおよび第４のメタデータブロックに割り当てられたブロックレベル値を決定するための手段であって、前記第３のメタデータブロックはビデオフレームのうちのアクティブな第１のディスプレイ領域を定義し、前記第４のメタデータブロックは前記ビデオフレームのうちのアクティブな第２のディスプレイ領域を定義するものである、決定するための手段と、
前記第３のメタデータブロックが前記符号化されたビットストリームにおいて前記第１のメタデータブロックに続いて前記ブロックレベル値を割り当てられた次のメタデータブロックであると決定するための手段と、
前記第３のメタデータブロックが前記符号化されたビットストリームにおいて前記第１のメタデータブロックに続いて前記ブロックレベル値を割り当てられた前記次のメタデータブロックであると決定することに応じて、前記第１のメタデータブロックに含まれる前記第１のセットのカラーボリューム変換パラメータが前記第３のメタデータブロックによって定義されたアクティブな前記第１のディスプレイ領域に適用可能であると決定するための手段であって、前記第１のセットのカラーボリューム変換パラメータは、アクティブな前記第１のディスプレイ領域に表示されることになる前記第１の符号化されたビデオ信号のための１つまたは複数のディスプレイパラメータを示すものである、決定するための手段と、
前記第４のメタデータブロックが前記符号化されたビットストリームにおいて前記第２のメタデータブロックに続いて前記ブロックレベル値を割り当てられた次のメタデータブロックであると決定するための手段と、
前記第４のメタデータブロックが前記符号化されたビットストリームにおいて前記第２のメタデータブロックに続いて前記ブロックレベル値を割り当てられた前記次のメタデータブロックであると決定することに応じて、前記第２のメタデータブロックに含まれる前記第２のセットのカラーボリューム変換パラメータが前記第４のメタデータブロックによって定義されたアクティブな前記第２のディスプレイ領域に適用可能であると決定するための手段であって、前記第２のセットのカラーボリューム変換パラメータは、アクティブな前記第２のディスプレイ領域に表示されることになる前記第２の符号化されたビデオ信号のための１つまたは複数のディスプレイパラメータを示すものである、決定するための手段と、
前記第１のセットのカラーボリューム変換パラメータを使用して、前記第１の符号化されたビデオ信号、および前記第２のセットのカラーボリューム変換パラメータを使用して、前記第２の符号化されたビデオ信号を復号するための手段と
を備える、装置。
【請求項１０】
前記少なくとも２つの符号化されたビデオ信号のうちの第１のビデオ信号のための第１のディスプレイ領域は、前記少なくとも２つの符号化されたビデオ信号のうちの第２のビデオ信号のための第２のディスプレイ領域と重なり、ここにおいて、前記重なっている領域において使用すべき前記１つまたは複数のセットのカラーボリューム変換パラメータのうちの１つのセットのカラーボリューム変換パラメータは、前記第１のディスプレイ領域と前記第２のディスプレイ領域との間の優先度によって決定される、請求項８または９に記載の装置。
【請求項１１】
前記１つまたは複数のメタデータブロックは、１つまたは複数の補足強化情報（ＳＥＩ）ネットワーク抽象化レイヤ（ＮＡＬ）ユニットにおいて符号化される、請求項８または９に記載の装置。